(57)【要約】  患者支持体（１０）は、枠（１２）と、枠で支持されているマットレスと、患者支持体（１０）から患者が出ることを制止すべく構成された一組のサイドレール（１８〜２０）とを含む。サイドレール（１８〜２０）は、サイドレール（１８〜２０）と患者支持体（１０）の他の構成要素との間に画定される隙間を狭めるように構成されている。
2007528775.tif 000002
【特許請求の範囲】
【請求項１】
上方位置と下方位置との間で移動するように構成され、患者支持体と共に使用するためのサイドレールであって、
前記サイドレールが
レール部材と、
前記レール部材に結合された補助レールと
を備え、
前記補助レールは、前記サイドレールが上方位置にある前記レール部材に対する伸展状態と、前記サイドレールが下方位置にある前記レール部材に対する非伸展状態との間を移動するように構成されている
サイドレール。
【請求項２】
前記補助レールに前記伸展状態と前記非伸展状態との間を移動させる連結部をさらに備える請求項２に記載のサイドレール。
【請求項３】
前記連結部に動作可能に結合され、前記補助レールに前記伸展状態と前記格納状態との間を移動させるように構成されたアクチュエータをさらに備えている請求項２に記載のサイドレール。
【請求項４】
前記アクチュエータが、前記補助レールの上面と接するように構成されている少なくとも１つの回転可能に支持されたローラを備える請求項３に記載のサイドレール。
【請求項５】
前記少なくとも１つのローラは、前記レール部材が前記上方位置に移動する際に前記補助レールの前記上面に沿って転がるように構成されている請求項４に記載のサイドレール。
【請求項６】
前記連結部が時計の針のように回る連結部である請求項２に記載のサイドレール。
【請求項７】
前記補助レールが前記レール部材の下方端部の縦軸に沿って移動するように構成されている請求項２に記載のサイドレール。
【請求項８】
前記レール部材の上下移動を可能にすべく構成された連結部をさらに備え、前記レール部材が前記上方位置にある時に前記補助レールが前記連結部の第１の端部の上に位置し、前記レール部材が前記下方位置にある時に前記補助レールが前記連結部の前記第１の端部の下に位置する請求項１に記載のサイドレール。
【請求項９】
前記患者支持体が連接式デッキを含み、前記連結部の前記第１の端部は前記デッキにより回転可能に支持され、前記連結部の第２の端部は前記レール部材を回転可能に支持している請求項８記載のサイドレール。
【請求項１０】
患者支持体と共に使用するためのサイドレールであって、
前記サイドレールが
レール部材と、
前記レール部材を上方位置と下方位置との間で上下移動できるように前記レール部材を支持する連結部と、
前記レール部材に動作可能に結合された補助レールと
を備え、
前記補助レールが、前記連結部の第１の方向への動きに応じて下向きに移動し、前記連結部の第１の方向と反対の方向への動きに応じて上向きに移動するように構成されている
サイドレール。
【請求項１１】
前記連結部に動作可能に結合され、前記レール部材が前記下方位置から前記上方位置へ上向きに移動する際に前記補助レールの上面と接するように構成されているアクチュエータをさらに備えている請求項１０に記載のサイドレール。
【請求項１２】
前記アクチュエータが、前記レール部材が前記上方位置へ移動する際に、前記補助レールの前記上面に沿って転がるように構成されている、少なくとも１つの回転可能に支持されているローラを備える請求項１１に記載のサイドレール。
【請求項１３】
前記補助レールに動作可能に結合され、前記補助レールを上向きに付勢するように構成されている付勢デバイスをさらに備えている請求項１０に記載のサイドレール。
【請求項１４】
前記付勢デバイスが、前記レール部材と前記補助レールとの中間で動作可能に結合されているばねを備える請求項１３に記載のサイドレール。
【請求項１５】
前記補助レールが上方に延在するガイド部材を含み、前記レール部材が前記ガイド部材を摺動可能に収容すべく構成されている管状支持部材を含む請求項１０に記載のサイドレール。
【請求項１６】
前記レール部材が枠部材と、前記枠部材に結合されている少なくとも１つの垂直制止部材と、前記枠部材に結合されている少なくとも１つの水平制止部材とを含む請求項１０に記載のサイドレール。
【請求項１７】
前記連結部が第１のアームと、前記第１のアームから間隔を空けて配置されている第２のアームとを含み、前記第１のアーム及び前記第２のアームはそれぞれ、前記患者支持体に回転可能に結合されている第１の端部と、前記レール部材と回転可能に結合されている第２の端部とを含んでいる請求項１０に記載のサイドレール。
【請求項１８】
患者支持体と共に使用するためのサイドレールであって、
前記サイドレールが
上方位置と下方位置との間で移動できるようになっているレール部材と、
前記レール部材に動作可能に結合された補助レールと
を備え、
前記補助レールが、前記レール部材が下方位置に移動すると格納状態となり、前記レール部材が上方位置に移動すると伸展状態となるように構成されている
サイドレール。
【請求項１９】
前記補助レールが前記レール部材の下に位置し、前記補助レールが前記伸展状態のときより前記格納状態のときに前記レール部材に近接して配置される請求項１８に記載のサイドレール。
【請求項２０】
前記レール部材に動作可能に結合され、前記レール部材に上方位置と下方位置の間を移動させ、前記補助レールに前記伸展状態と格納状態の間を動かせるように構成された連結部をさらに備えている請求項１８に記載のサイドレール。
【請求項２１】
前記連結部に動作可能に結合され、前記レール部材が前記上方位置へ移動すると前記補助レールを前記伸展状態に動かすように構成されているアクチュエータをさらに備えている請求項１８に記載のサイドレール。
【請求項２２】
前記アクチュエータが、前記補助レールの上面と接するように構成されている、少なくとも１つの回転可能に支持されているローラを備える請求項２１に記載のサイドレール。
【請求項２３】
前記少なくとも１つのローラが、前記レール部材が前記上方位置へ移動する際に、前記補助レールの前記上面に沿って転がるように構成されている請求項２２に記載のサイドレール。
【請求項２４】
前記補助レールに動作可能に結合され、前記補助レールを前記格納位置へ付勢するように構成されている付勢デバイスをさらに備える請求項１８に記載のサイドレール。
【請求項２５】
前記付勢デバイスが、前記レール部材と前記補助レールとの中間で動作可能に結合されているばねを備える請求項２４に記載のサイドレール。
【請求項２６】
前記補助レールが、上向きに延在するガイド部材を含み、前記レール部材は前記ガイド部材を摺動可能に収容すべく構成されている管状支持部材を含む請求項１８に記載のサイドレール。
【請求項２７】
前記管状支持部材が、前記補助レールの前記伸展位置から前記格納位置へ動く際に引き続き移動することを防止する停止部を含む請求項２６に記載のサイドレール。
【請求項２８】
前記レール部材が枠部材と、前記枠部材に結合されている少なくとも１つの垂直制止部材と、前記枠部材に結合されている少なくとも１つの水平制止部材とを備える請求項１８に記載のサイドレール。
【請求項２９】
前記連結部が第１のアームと、前記第１のアームから間隔を空けて配置されている第２のアームとを含み、前記第１のアーム及び前記第２のアームはそれぞれ、前記患者支持体と回転可能に結合されている第１の端部と、前記レール部材と回転可能に結合されている第２の端部とを含んでいる請求項１８に記載のサイドレール。
【請求項３０】
前記レール部材が前記上方位置にある時前記補助レールが前記第１及び前記第２のアームの前記第１及び前記第２の端部の中間に位置し、前記レール部材が前記下方位置にある時前記補助レールが前記第１及び前記第２のアームの前記第１及び前記第２の端部の下に位置する請求項２９に記載のサイドレール。
【発明の詳細な説明】
【技術分野】
【０００１】
本発明は、病院用ベッド等の患者支持体に関する。特に本発明は、患者支持体の構成要素間に存在する場合がある隙間を閉じるように構成されている可変高サイドレールに関する。
【０００２】
《関連出願の相互参照》
本出願は、２００４年３月１２日出願の米国仮特許出願第６０／５５２６１８号明細書に基づく優先権を主張する。  
２００２年８月２２日出願の米国特許出願第１０／２２５７８０号明細書の開示を本願明細書に援用する。
【発明を実施するための最良の形態】
【０００３】
本発明の一実施例による患者支持体１０を図１及び図２に示す。患者支持体１０は、枠１２と、デッキ１４と、一対のヘッド端サイドレール１８と、一対のフット端サイドレール２０と、ヘッドボード２２及びフットボード２３とを含む。従来のマットレス（図示せず）は、デッキ１４で支持され、デッキ１４は、当技術分野において知られている方法ですべてが相対的に動くように構成されている、頭部１４ａ、座部１４ｂ、大腿部１４ｃ、及び足部１４ｄを含んでいる。
【０００４】
枠１２は、一例として、複数のキャスタ２５で支持され、中間枠２６に結合したベース枠２４を含む（図２）。当技術分野において知られているように、中間枠２６は、昇降アーム２７を用いてベース枠２４に対して上下方向に移動させることもできる。中間枠２６は、長手方向に延在する一対の枠部材２８と、横方向に延在する一対の横部材３０とを含む。ヘッド端サイドレール１８は、それぞれ、連結部３４に結合したレール部材３２を含む。同様に、フット端サイドレール２０は、それぞれ、連結部３８に結合したレール部材３６を含む。連結部３４は、レール部材３２を連結台４２に枢結する長手方向に離間した第１及び第２の支持アーム４０ａ及び４０ｂを含み、一方、連結部３８は、レール部材３６を連結台４６に枢結する長手方向に離間した第１及び第２の支持アーム４４ａ及び４４ｂを含む。アーム４０及び４４を中心にレール部材３２及び３６を回転させる、或いは「時計の針のように回す」ことにより、それぞれヘッド端サイドレール１８及びフット端サイドレール２０を上下させることができる。具体的に、ヘッド端サイドレール１８はヘッドボード２２に向けて移動するように、フット端サイドレール２０はフットボード２３に向けて移動するように構成されている。
【０００５】
下記にヘッド端サイドレール１８の連結部３４を支持するための連結台４２について詳述するが、連結台４６は連結台４２とほぼ同一の構造を有してフット端サイドレール２０の連結部３８を支持している。図３から図８に示す通り、連結台４２及び４６は、それぞれ、一対のロッド４８ａ及び４８ｂに沿って横方向に摺動するように支持されている摺動ブラケット４７を含む。ロッド４８ａ及び４８ｂは、それぞれ、デッキ１４の下面５２に結合し、下方に突出した取付けブラケット５０で支持されている第１の端部と、下面５２から下方に突出し、取付けブラケット５０から横方向内側に設けられたフランジ５４で支持されている第２の端部とを有する。ロッド４８ａ及び４８ｂに沿って摺動ブラケット４７を摺動させることにより、連結台４２、４６及びそれぞれのサイドレール１８、２０は、デッキ１４に対して横方向に移動できる。ヘッド端サイドレール１８は、ロッド４８により頭部１４ａに結合されて頭部１４ａと共に動くように構成されている。一方、フット端サイドレール２０は、ロッド４８により足部１４ｄに結合されて足部１４ｄと共に動くように構成されている。
【０００６】
回転可能なロッド５６ａ及び５６ｂは、それぞれアーム４４ａ及び４４ｂの第１の端部５７に結合し、摺動ブラケット４７の開口を通って延在する。ロッド５６ａ及び５６ｂは、涙滴状の連結部材６０ａ及び６０ｂによりロック部材５８に結合され、ロッド５６ａ及び５６ｂを回転させることによりロック部材５８が動く。ロック部材５８は、ラッチ部材６４を摺動可能に受容すべく構成されている開口部６２を含む。ラッチ部材６４は、横から内向きにばね付勢されて、取っ手６６に結合されている。具体的には、ラッチ部材６４は、摺動ブラケット４７、そして結果としてデッキ１４に対するロック部材５８の動きを阻止するために、開口部６２内へ付勢されている。このようにして、各アーム４０、４４は、回転又は時計の針のように回ることを、各サイドレール１８、２０は、デッキ１４との相対的な動きを妨げられている。ラッチ部材６４を開口部６２内から引き出すべく取っ手６６を横から外方向へ引くことにより、ロック部材５８を解放して摺動ブラケット４７との相対的な動きが可能となる。このようにして、各アーム４０、４４は回転又は時計の針のように回ることにより、各サイドレール１８、２０はデッキ１４との相対的な動きが可能となる。
【０００７】
図２から図６、及び図９から図１２に示す通り、ヘッド端のレール部材３２は、水平な上方レール部７０と、上方レール部７０の第１の端部に結合している第１の縦端部レール７２と、上方レール部７０の第２の端部に結合している第２の縦端部レール７４とを有する鋼製枠部材６８を含む。両支持アーム４０の各第１の端部５７は、上述のように、摺動ブラケット４７を通ってデッキ１４に結合している。両支持アーム４０の反対側の各第２の端部７８は、下向きに延在する取付けブラケット８０に結合している。ブラケット８０は、第１及び第２の縦端部レール７２及び７４間で、上方レール部７０とほぼ平行に延在している。プラスチック製の筒棒又は被覆８２を鋼製枠部材６８に結合することもできる。同様に、２部分からなるプラスチック製ハウジング８４（図１１）は、ヘッド端のレール部材３２に結合することもでき、当技術分野において知られている種類の動作制御部、スイッチ、又はボタンを含むこともできる。
【０００８】
図２、図１３、及び図１４に示す通り、フット端のレール部材３６は、水平な上方レール部９０と、上方レール部９０の第１の端部に結合している第１の縦端部レール９２と、上方レール部９０の第２の端部に結合している第２の縦端部レール９４とを有する鋼製枠部材８８を含む。両支持アーム４４の各第１の端部９６は、上述のように、摺動ブラケット４７を通ってデッキ１４に結合している。両支持アーム４４の反対側の各第２の端部９８は、下向きに延在するブラケット１００に結合している。ブラケット１００は、第１及び第２の縦端部レール９２及び９４間で、上方レール部９０とほぼ平行に延在している。プラスチック製筒棒又は被覆１０２は、一例として、鋼製枠部材６８に結合される。サイドレール１８及び２０の鋼製枠部材６８及び８８は、僅かに丸まった角を有する略平行四辺形であることが好ましい。
【０００９】
ヘッド端サイドレール１８は、取付けブラケット８０と上方レール部７０との間で垂直に延在する、第１及び第２の管状ガイド１０４ａ及び１０４ｂを含む。第１及び第２の垂直制止部材１０６ａ及び１０６ｂは、取付けブラケット８０と上方レール部７０との間で、第１及び第２の管状ガイド１０４ａ及び１０４ｂの間隔を制限すべくこれらの中間に延在する。水平制止部材１０８ａは、縦端部レール７２と第１のガイド１０４ａとの間隔を狭めるべくこれらの間に延在する。水平制止部材１０８ｂは、端部レール部７４と第２のガイド１０４ｂとの間隔を制限すべくこれらの間に延在する。
【００１０】
ヘッド端サイドレール１８と同様に、フット端サイドレール２０は、取付けブラケット１００と上方レール部９０との間で垂直に延在する、第１及び第２の管状ガイド１０４ａ及び１０４ｂを含む。水平制止部材１０８ｃは、縦端部レール９２とガイド１０４ａとの間隔を狭めるべくこれらの間延在し、水平制止部材１０８ｂは、ガイド１０４ａ及び１０４ｂとの間隔を制限すべくこれらの間に延在する。
【００１１】
補助レール１１０及び１１２は、それぞれヘッド端サイドレール１８及びフット端サイドレール２０に結合している。レール部材３２及び３６に関し、各補助レール１１０及び１１２は、それぞれ、概ね垂直な軸線１１４及び１１６に沿って平行移動できるようになっている。各補助レール１１０、１１２は、一例として、それぞれサイドレール１８、２０の真下に配置されて縦方向に延在する鋼棒又はレールを備えている。ヘッド端の補助レール１１０は、端部空間１２０を閉じ、端部空間１２０への接近を阻むように構成されている湾曲端部１１８を含む。
【００１２】
図３、図９、図１０、及び図１３に示す通り、両補助レール１１０及び１１２は、同一の方法で、上向きに延在する第１及び第２の挿入具１２２ａ及び１２２ｂに支持されている。各挿入具１２２は、一例として、補助レール１１０、１１２の一方に結合された下端１２４と、管状ガイド１０４の一方に摺動可能に収容されている上端１２６とを有する細長い棒材又は丸棒を備えている。各挿入具１２２の周囲にばね１２８が同心円状に収容され、各補助レール１１０、１１２を矢印１２９で示す上方向に付勢するように構成されている。ばね１２８は、一例として、上下固定具１３０と１３２との間に受容されている従来の圧縮ばねを含んでいる。上固定具１３０は、一例として、ねじ等の締め具１３６を用いて挿入具１２２の上端１２６に固定されているワッシャ１３４を備えている。下固定具１３２は、一例として、ガイド１０４の下端内にねじ込んで収容されている端部キャップ１３８を備えている。端部キャップ１３８は、挿入具１２２を摺動可能に収容する同心円状の開口を有し、一例として、ナイロン製の軸受けを備えている。各ガイド１０４は、補助レール１１０、１１２が引き続き上方向に移動することを防ぐべく、補助レール１１０、１１２の格納位置を決定する停止面１４０を有する。
【００１３】
レール部材３２、３６は、デッキ１４に対して複数の位置に設定することもできる。例えば、レール部材３２を、図３では上方位置、図６では下方位置、図４及び図５では上方位置と下方位置との間の中間の状態で示す。レール部材３２、３６が上方位置にあるとき、補助レール１１０、１１２は、レール部材３２、３６の下で伸展または下がった状態となる。補助レール１１０、１１２は、レール部材３２、３６とデッキ１４との間に画定される隙間１４２を阻む。レール部材３２、３６を下げると、アーム４０、４４は補助レール１１０、１１２を降下させる。具体的に、アーム４０、４４は、一例として、レール部材３２、３６を下げると、補助レール１１０、１１２に接触する、回転可能に支持されているローラ型のアクチュエータ１４４を担持する。当然のことながら、ローラ１４４を他のアクチュエータで置き換えてもよい。具体的には、滑車及びケーブルシステムをばね１２８と動作可能に結合して、補助レール１１０、１１２を上下させるべくばね１２８を伸縮させることもできる。
【００１４】
レール部材３２、３６に関し、補助レール１１０、１１２は、補助レール１１０、１１２とアクチュエータ１４４との初期接触により、格納状態から下向きの初期移動を始める。レール部材３２、３６を更に上げると、補助レール１１０、１１２は更に下向きに移動し、レール部材３２、３６を完全に上げると、補助レール１１０、１１２は完全に伸展した状態となる。補助レール１１０、１１２は、レール部材３２、３６の上方位置と下方位置との間での移動を妨げない。レール部材３２、３６に関し、サイドレール１８、２０を完全に下げると、補助レール１１０、１１２は、完全に格納された状態となる。レール部材３２、３６に関連し、サイドレール１８、２０が完全に下げた状態にない時、補助レール１１０、１１２の上下方向の位置は、補助レール１１０、１１２とローラ１４４間の接触状態が維持されたままで、アーム４０、４４によって担持されているローラ１４４との接触により決定される。アーム４０、４４でレール部材３２、３６を動かすと、ローラ１４４は回転して、補助レール１１０、１１２の上面１４６、１４８に沿って転がる。レール部材３２、３６に関し、サイドレール１８、２０が完全に上がると、補助レール１１０、１１２は完全に伸展した状態となる。
【００１５】
動作の際にサイドレール１８、２０を上げると、ローラ１４４は補助レール１１０、１１２を押し下げ、それぞれのサイドレール１８、２０のガイド１０４内に収容されているばね１２８を圧縮する。サイドレール１８、２０を下げると、ばね１２８は、補助レール１１０、１１２をサイドレール１８、２０に向けて上向きに付勢する。格納式の補助レール１１０、１１２は、患者支持体１０が完全に収容されるサイドレール１８、２０を備えたままで、更に低い「低」位置を達成でき、これにより、患者支持体１０と別の患者支持体との間で搬送する際の隔たりを無くすことができる。
【００１６】
図９に示すように、各補助レール１１０、１１２は、それぞれデッキ１４とサイドレール１８、２０との間の隙間１４２の大きさを狭めるように構成されている。具体的に、補助レール１１０、１１２は、各サイドレール１８、２０とデッキ１４間の隙間１４２の大きさを６０ミリメートル（ｍｍ）より小に維持するように構成されている。図６に示すように、さらに、補助レール１１０、１１２は、サイドレール１８、２０を下げて、患者支持体１０を最低位置にした時（即ち、中間枠２６がベース枠２４に対して最低位置にあり、デッキ１４が中間枠２６に対して最低位置にある時）、各サイドレール１８、２０と床面１５０との間に１２０ミリメートル（ｍｍ）より大なる間隔１４９が維持されるように構成されている。
【００１７】
本発明を特定の好適な実施形態を参照して詳細に説明したが、添付の特許請求の範囲に説明及び定義するように、本発明の精神及び範囲内での変更及び改良を施すことも可能である。
【図面の簡単な説明】
【００１８】
【図１】上方位置にある一対のヘッド端サイドレール及び一対のフット端サイドレールを含む患者支持体の一実施を示す斜視図である。
【図２】下方位置にあるヘッド端サイドレール及びフット端サイドレールを示す、図１の患者支持体の側面図である。
【図３】ヘッド端サイドレールを上げて補助レールを伸展させた状態でのヘッド端サイドレールの正面図である。
【図４】上方位置と下方位置との間の第１の中間位置にあるヘッド端サイドレールを示す、図３と同様の正面図である。
【図５】上方位置と下方位置との間で、第１の中間位置の下の第２の中間位置にあるヘッド端サイドレールを示す、図３と同様の正面図である。
【図６】ヘッド端サイドレールを下げて補助レールを格納した状態でのヘッド端サイドレール示す、図３と同様の正面図である。
【図７】摺動ブラケットに対するアームの動きを阻止したロック状態のラッチを示す、ヘッド端サイドレールの連結部の斜視図である。
【図８】摺動ブラケットに対するアームの動きを可能にしたロック解除状態にあるラッチを示す、図７と同様の斜視図である。
【図９】図３の線９−９に沿った断面図である。
【図１０】補助レールを支持している挿入具と協働するばねを示す、ヘッド端サイドレールの正面図である。
【図１１】図３のヘッド端サイドレールの背面斜視図である。
【図１２】図３のヘッド端サイドレールのアクチュエータ及び補助レールの詳細斜視図である。
【図１３】フット端サイドレールの正面図である。
【図１４】フット端サイドレールの背面斜視図である。
【符号の説明】
【００１９】
１０  患者支持体
１２  枠
１４  デッキ
１４ａ  頭部
１４ｂ  座部
１４ｃ  大腿部
１４ｄ  足部
１８，２０  ヘッド端サイドレール、フット端サイドレール
２２  ヘッドボード
２４  ベース枠
２６  中間枠
２７  昇降アーム
２８  枠部材
３０  横部材
３２，３６  レール部材
３４，３８  連結部
４０（４０ａ，４０ｂ），４４（４４ａ，４４ｂ）  支持アーム
４２，４６  連結台
４８ａ，４８ｂ，５６ａ，５６ｂ  ロッド
５０  取付けブラケット
５２  （デッキ）下面
５４  フランジ
５７  アームの第１の端部
５８  ロック部材
６０ａ，６０ｂ  連結部材
６２  開口部
６４  ラッチ部材
６６  取っ手
６８，８８  鋼製枠部材
７０，９０  上方レール部
７２，７４  縦端部レール
７８  （支持アームの）第２の端部
８０  取付けブラケット
８２，１０２  被覆
８４  ハウジング
８８  鋼製枠部材
９０  上方レール部
９２，９４  第１、第２の縦端部レール
９６，９８  第１、第２のアーム端部
１００  ブラケット
１０４ａ，１０４ｂ  ガイド
１０６ａ，１０６ｂ  第１、第２垂直制止部材
１０８ａ，  水平制止部材
１１０，１１２  補助レール
１１４，１１６  軸線
１１８  湾曲端部
１２０  端部空間
１２２ａ，１２２ｂ  挿入具
１２４，１２６  挿入具下端、上端
１２８  ばね
１３０，１３２  上下固定具
１３４  ワッシャ
１３６  締め具
１３８  端部キャップ
１４０  停止面
１４２  隙間
１４４  アクチュエータ
１４６，１４８  補助レールの上面
【図１】
2007528775.tif 000003
【図２】
2007528775.tif 000004
【図３】
2007528775.tif 000005
【図４】
2007528775.tif 000006
【図５】
2007528775.tif 000007
【図６】
2007528775.tif 000008
【図７】
2007528775.tif 000009
【図８】
2007528775.tif 000010
【図９】
2007528775.tif 000011
【図１０】
2007528775.tif 000012
【図１１】
2007528775.tif 000013
【図１２】
2007528775.tif 000014
【図１３】
2007528775.tif 000015
【図１４】
2007528775.tif 000016
【国際調査報告】
2007528775.tif 000017
2007528775.tif 000018
2007528775.tif 000019